(57)【要約】    【課題】  電気部品に付設されたフレキシブル基板の電極部に接触させる接触子を透明部材コンタクトとして、フレキシブル基板の電極部と透明部材コンタクトの接触子との位置合わせを容易とする。    【解決手段】  コンタクト保持部３によって、透明部材から成りその端部に複数配列して形成された接触子を有する透明部材コンタクト１１を保持固定し、調整機構により、上記コンタクト保持部３に保持された透明部材コンタクト１１の接触子の配列方向に沿って移動可能とされた表示パネル６を移動させて、フレキシブル基板９の電極部を透明部材コンタクト１１の接触子に位置合わせし、押圧プレート５で、上記フレキシブル基板９の電極部と透明部材コンタクト１１の接触子とを接触させてクッション部材２に対して押圧する。これにより、上記表示パネル６のフレキシブル基板９の電極部と透明部材コンタクト１１の接触子とを接触させる。【選択図】    図２
2006118934.tif 000002
【特許請求の範囲】
【請求項１】
側辺部にフレキシブル基板が付設された電気部品を収容して保持する収容部を上面に備えたソケット本体と、
上記収容部の側方に設けられ、上記電気部品のフレキシブル基板の端部に複数配列して形成された電極部を載せて弾性的に支持するクッション部材と、
上記クッション部材の側方に設けられ、透明部材から成りその端部に複数配列して形成された接触子を有する透明部材コンタクトを保持固定するコンタクト保持部と、
上記コンタクト保持部に保持された透明部材コンタクトの接触子の配列方向に沿って移動可能とされた電気部品を移動させ、上記フレキシブル基板の電極部を透明部材コンタクトの接触子に位置合わせする調整機構と、
上記フレキシブル基板の電極部と透明部材コンタクトの接触子とを接触させて上記クッション部材に対して押圧する押圧手段と、
を備えたことを特徴とする電気部品用ソケット。
【請求項２】
上記透明部材コンタクトは、ガラスの表面に複数の接触子パターンを配列して形成したものであることを特徴とする請求項１記載の電気部品用ソケット。
【請求項３】
上記コンタクト保持部は、上記電気部品の収容部側と反対側を中心にして上下に揺動可能とされていることを特徴とする請求項１又は２記載の電気部品用ソケット。
【請求項４】
上記コンタクト保持部は、透明部材コンタクトをその下面及び上面から挟んで保持し、弾性及び滑り止め作用を有する保持部材を備えたことを特徴とする請求項１〜３のいずれか１項に記載の電気部品用ソケット。
【請求項５】
上記保持部材は、ゴムであることを特徴とする請求項４記載の電気部品用ソケット。
【請求項６】
上記押圧手段は、上記ソケット本体上面のクッション部材に対応する部位に押圧ブロックを備えたものであることを特徴とする請求項１〜５のいずれか１項に記載の電気部品用ソケット。
【発明の詳細な説明】
【技術分野】
【０００１】
本発明は、電気部品としてのＦＰＤ（Flat Panel Display）などの表示パネルの点灯検査、品質検査又は耐久試験等に使用される電気部品用ソケットに関し、詳しくは、電気部品に付設されたフレキシブル基板の電極部に接触させる接触子を透明部材コンタクトとして、フレキシブル基板の電極部と透明部材コンタクトの接触子との位置合わせを容易とする電気部品用ソケットに係るものである。
【背景技術】
【０００２】
従来の表示パネルの点灯検査、品質検査等に使用される電気部品用ソケットにおいては、ソケット本体上面の収容部に載置保持された表示パネルの側辺部に複数配列して形成された電極部に対し、上記ソケット本体にて表示パネルの電極部側の端部に設けられたフレキシブル基板（Flexible Printed Circuits：以下「ＦＰＣ」と略称する）の端部に複数配列して形成された接触子を接触させるようになっていた。このとき、上記ＦＰＣの接触子が形成された端部を移動して、その接触子を表示パネルの電極部に位置合わせしていた（例えば、特許文献１参照）。
【特許文献１】特開２００４−１０９５９３号公報
【発明の開示】
【発明が解決しようとする課題】
【０００３】
しかし、従来の電気部品用ソケットにおいては、表示パネルの点灯検査、品質検査等をするのに、ＦＰＣの接触子が形成された端部を移動して、表示パネルの電極部に対してＦＰＣの接触子を位置合わせしていたので、上記ＦＰＣではあまり光の透過性がよくなく、該ＦＰＣを通して表示パネルの微細なピッチの電極部がよく見通せないことがあった。したがって、ＦＰＣの接触子を表示パネルの電極部に位置合わせするのが容易ではなく、上記ＦＰＣの接触子と表示パネルの電極部とを高精度に位置合わせできないことがあった。
【０００４】
そこで、本発明は、このような問題点に対処し、電気部品に付設されたフレキシブル基板の電極部に接触させる接触子を透明部材コンタクトとして、フレキシブル基板の電極部と透明部材コンタクトの接触子との位置合わせを容易とする電気部品用ソケットを提供することを目的とする。
【課題を解決するための手段】
【０００５】
上記目的を達成するために、本発明による電気部品用ソケットは、側辺部にフレキシブル基板が付設された電気部品を収容して保持する収容部を上面に備えたソケット本体と、上記収容部の側方に設けられ、上記電気部品のフレキシブル基板の端部に複数配列して形成された電極部を載せて弾性的に支持するクッション部材と、上記クッション部材の側方に設けられ、透明部材から成りその端部に複数配列して形成された接触子を有する透明部材コンタクトを保持固定するコンタクト保持部と、上記コンタクト保持部に保持された透明部材コンタクトの接触子の配列方向に沿って移動可能とされた電気部品を移動させ、上記フレキシブル基板の電極部を透明部材コンタクトの接触子に位置合わせする調整機構と、上記フレキシブル基板の電極部と透明部材コンタクトの接触子とを接触させて上記クッション部材に対して押圧する押圧手段と、を備えたものである。
【０００６】
このような構成により、コンタクト保持部によって、透明部材から成りその端部に複数配列して形成された接触子を有する透明部材コンタクトを保持固定し、調整機構により、上記コンタクト保持部に保持された透明部材コンタクトの接触子の配列方向に沿って移動可能とされた電気部品を移動させて、フレキシブル基板の電極部を透明部材コンタクトの接触子に位置合わせし、押圧手段で、上記フレキシブル基板の電極部と透明部材コンタクトの接触子とを接触させてクッション部材に対して押圧する。これにより、上記電気部品のフレキシブル基板の電極部と透明部材コンタクトの接触子とを接触させる。
【０００７】
また、上記透明部材コンタクトは、ガラスの表面に複数の接触子パターンを配列して形成されている。これにより、ガラスの表面に複数の接触子パターンを配列して透明部材コンタクトが形成される。
【０００８】
さらに、上記コンタクト保持部は、上記電気部品の収容部側と反対側を中心にして上下に揺動可能とされている。これにより、電気部品の収容部側と反対側を中心にしてコンタクト保持部が上下に揺動可能とされる。
【０００９】
さらにまた、上記コンタクト保持部は、透明部材コンタクトをその下面及び上面から挟んで保持し、弾性及び滑り止め作用を有する保持部材を備えている。これにより、弾性及び滑り止め作用を有する保持部材で、透明部材コンタクトをその下面及び上面から挟んで保持する。
【００１０】
また、上記保持部材は、ゴムで形成されている。これにより、ゴムから成る保持部材で、透明部材コンタクトをその下面及び上面から挟んで保持する。
【００１１】
さらに、上記押圧手段は、上記ソケット本体上面のクッション部材に対応する部位に押圧ブロックを備えている。これにより、ソケット本体上面のクッション部材に対応する部位に設けられた押圧ブロックで、電気部品のフレキシブル基板の電極部と透明部材コンタクトの接触子とを局部的に押圧して接触させる。
【発明の効果】
【００１２】
請求項１に係る発明によれば、電気部品のフレキシブル基板の端部に複数配列して形成された電極部に接触させる接触子を、透明部材から成る透明部材コンタクトとしたことにより、該透明部材コンタクト側から上記フレキシブル基板の微細なピッチの電極部でもよく見通して、該電極部と透明部材コンタクトの接触子との位置合わせを容易とすることができる。したがって、上記電気部品のフレキシブル基板の電極部と透明部材コンタクトの接触子とを高精度に位置合わせすることができる。このことから、電気部品の点灯検査、品質検査等の精度を向上することができる。
【００１３】
また、請求項２に係る発明によれば、ガラスの表面に複数の接触子パターンを配列して透明部材コンタクトを形成したことにより、電気部品のフレキシブル基板の電極部と透明部材コンタクトの接触子とを位置合わせする際に、上記透明部材コンタクト側からフレキシブル基板の微細なピッチの電極部でもよく見通して、該電極部と透明部材コンタクトの接触子との位置合わせを容易とすることができる。また、透明部材コンタクトの材質がガラスであるので、複数の接触子を微細パターンで形成することができる。
【００１４】
さらに、請求項３に係る発明によれば、電気部品の収容部側と反対側を中心にしてコンタクト保持部を上下に揺動可能としたことにより、上記コンタクト保持部の上向きの揺動位置にて、ソケット本体の収容部に電気部品を収容可能とし、また、上記電気部品のフレキシブル基板の電極部と透明部材コンタクトの接触子との仮位置合わせをすることができる。
【００１５】
さらにまた、請求項４に係る発明によれば、上記コンタクト保持部が、透明部材コンタクトをその下面及び上面から挟んで保持し、弾性及び滑り止め作用を有する保持部材を備えたことにより、上記透明部材コンタクトを破損させないようにして確実に保持すると共に、位置ずれしないように固定することができる。
【００１６】
また、請求項５に係る発明によれば、上記保持部材をゴムで形成したことにより、ゴムの弾性及び滑り止め作用で、上記透明部材コンタクトを破損させないようにして確実に保持すると共に、位置ずれしないように固定することができる。
【００１７】
さらに、請求項６に係る発明によれば、押圧手段が、ソケット本体上面のクッション部材に対応する部位に押圧ブロックを備えたことにより、該押圧ブロックで、電気部品のフレキシブル基板の電極部と透明部材コンタクトの接触子とを局部的に押圧して接触させることができる。また、クッション部材の弾性力を利用して押圧ブロックで電気部品のフレキシブル基板の電極部と透明部材コンタクトの接触子とを局部的に押圧するだけなので、電気部品用ソケットの全体を薄型化することができる。
【発明を実施するための最良の形態】
【００１８】
以下、本発明の実施形態を添付図面に基づいて詳細に説明する。図１は本発明による電気部品用ソケットの実施形態を示す平面図である。この電気部品用ソケットは、電気部品として、液晶ディスプレイ（ＬＣＤ）パネル、エレクトロ・ルミネセンス（ＥＬ）パネル又は発光ダイオード（ＬＥＤ）パネル等のＦＰＤと呼ばれる表示パネルの点灯検査、品質検査又は耐久試験等に使用されるもので、ソケット本体１と、クッション部材２と、コンタクト保持部３と、調整機構４と、押圧プレート５とを備えて成る。
【００１９】
ソケット本体１は、電気部品としての表示パネル６を収容して保持するもので、平面視で例えば矩形状の厚手の板状部材から成り、その上面の一側半部に矩形状凹部の収容部７が形成されている。この収容部７に収容して保持される表示パネル６は、例えばＬＣＤであり、図４に示すように、基板８の表面部に表示部８ａが形成され、該基板８の一側辺部にフレキシブル基板（ＦＰＣ）９が付設されており、該ＦＰＣ９の端部には複数の電極１０が所定のピッチで配列して形成されている。ＦＰＣ９は、例えばポリイミドフィルムに銅の配線をエッチングして形成されるものであり、微細な配線パターンで電極１０が形成されている。
【００２０】
ソケット本体１の上面にて、収容部７の一側方には、図１及び図２に示すように、クッション部材２が設けられている。このクッション部材２は、表示パネル６のＦＰＣ９の端部に複数配列して形成された電極１０の部分を載せて弾性的に支持するもので、例えば角棒状に形成され、弾性を有するゴムから成る。
【００２１】
ソケット本体１の上面にて、クッション部材２の側方には、図１及び図２に示すように、コンタクト保持部３が設けられている。このコンタクト保持部３は、後述の透明部材コンタクト１１を保持固定するもので、図１に示すように平面視で矩形状の板材から成り、図２に示すように下側のコンタクト固定板３ａと上側のコンタクト押え板３ｂとを所定の隙間をあけて組み合わせて成る。
【００２２】
ここで、コンタクト固定板３ａは、表示パネル６の収容部７側と反対側の側端部がピン１２で揺動可能に軸支されており、コンタクト固定板３ａ及びコンタクト押え板３ｂが組み合わされたコンタクト保持部３が、表示パネル６の収容部７側と反対側を中心にして上下に揺動可能とされている。このとき、図１及び図２に示すように、下側のコンタクト固定板３ａの一側端部の下面に当接する例えばＤ形形状のカム１３が設けられ、そのカム軸にはカム１３を回動操作するレバー１４が接続されている。そして、図２において、レバー１４を矢印Ｂ，Ｃ方向に回動操作することで、カム１３の外周面とコンタクト固定板３ａの下面との当接により、コンタクト保持部３が上下に揺動可能とされる。
【００２３】
コンタクト保持部３に保持固定される透明部材コンタクト１１は、ガラス等の透明部材から成りその端部に複数配列して形成された接触子を有して構成され、例えばガラス製コンタクトと呼ばれるものである。具体的には、図５に示すように、透明ガラス１５の表面に複数の接触子パターン（図示省略）が微細ピッチで配列して形成され、その端部には複数の接触子１６が所定のピッチで配列して形成されている。この場合、図４に示す表示パネル６のＦＰＣ９の電極１０の配列ピッチと、透明部材コンタクト１１の接触子１６の配列ピッチとは同一とされている。なお、透明部材コンタクト１１の他端部には、図示外の点灯検査装置等の機能検査装置からの信号入力用のＦＰＣ１７が接続され、各接触子１６に信号を送受するようになっている。
【００２４】
透明部材コンタクト１１を保持固定するコンタクト保持部３（３ａ，３ｂ）は、図２に示すように、透明部材コンタクト１１をその下面及び上面から挟んで保持し、弾性及び滑り止め作用を有する保持部材１８ａ，１８ｂを備えている。保持部材１８ａ，１８ｂとしては、ゴム又はシリコーンゴム等が用いられる。これにより、下面側の保持部材１８ａで透明部材コンタクト１１が位置ずれを起こさないように固定し、上面側の保持部材１８ｂで透明部材コンタクト１１が破損しないように押圧して、全体として透明部材コンタクト１１を確実に保持固定するようになっている。
【００２５】
ソケット本体１において表示パネル６を収容保持する収容部７側には、図１に示すように、調整機構４が設けられている。この調整機構４は、コンタクト保持部３に保持された透明部材コンタクト１１の接触子１６の配列方向に沿って移動可能とされた表示パネル６を移動させ、そのＦＰＣ９の電極１０を透明部材コンタクト１１の接触子１６に位置合わせするもので、以下のような構造とされている。
【００２６】
すなわち、図１及び図２において、ソケット本体１の一側半部の板厚内に、表示パネル保持ブロック１９が矢印D，E方向にスライド可能に組み込まれており、この表示パネル保持ブロック１９の一部に表示パネル６の収容部７が形成されている。これにより、収容部７に保持された表示パネル６が、コンタクト保持部３に保持された透明部材コンタクト１１の接触子１６の配列方向に沿って移動可能とされる。そして、表示パネル保持ブロック１９の一側端面には、圧縮バネ２０が介装されており、該表示パネル保持ブロック１９を常時矢印Ｄ方向に付勢している。また、表示パネル保持ブロック１９の他側端面には、位置調整ネジ２１が螺合されており、そのネジ軸２１ａの先端面が該表示パネル保持ブロック１９に当接して矢印Ｅ方向に押すようになっている。したがって、位置調整ネジ２１を正逆回転させることにより、表示パネル保持ブロック１９を矢印D，E方向にスライドさせて、表示パネル６を移動させ、そのＦＰＣ９の電極１０を透明部材コンタクト１１の接触子１６に位置合わせすることができる。
【００２７】
ソケット本体１の上面には、押圧プレート５が設けられている。この押圧プレート５は、表示パネル６のＦＰＣ９の電極１０と透明部材コンタクト１１の接触子１６とを接触させて前記クッション部材２に対して押圧する押圧手段となるもので、図２に示すように、ソケット本体１の上面に立設された基部材にピン２２で矢印Ｆ，Ｇ方向に回動可能に設けられている。そして、押圧プレート５の片面にてソケット本体１の上面に対向する側には、ソケット本体１上面のクッション部材２に対応する部位に押圧ブロック２３が備えられている。また、押圧プレート５の先端部には、押圧プレート５を矢印Ｆ方向に回動してソケット本体１の上面を閉じたときに、前述の表示パネル保持ブロック１９の外側近傍に設けられた係止部２４と係止するストッパ２５が設けられている。
【００２８】
なお、図１及び図２において符号２６は、ソケット本体１の四隅部において下面から上面に突き抜けて設けられた支持用の足を示し、図２において符号２７は、例えばＬＣＤから成る表示パネル６の表示部８ａを照明するバックライトを示している。
【００２９】
次に、このように構成された電気部品用ソケットの使用について、図２及び図３を参照して説明する。まず、図２において、表示パネル６の検査前においては、押圧プレート５は矢印Ｇ方向に回動されて、ソケット本体１の上面は開放されている。また、レバー１４が矢印Ｂ方向に回動して起立され、コンタクト保持部３(３ａ，３ｂ)がピン１２を中心にして揺動し、表示パネル６の収容部７側の端部が持ち上げられている。この状態で、コンタクト保持部３には、透明部材コンタクト１１が保持されており、透明部材コンタクト１１の先端部も持ち上げられている。
【００３０】
次に、ソケット本体１に組み込まれた表示パネル保持ブロック１９に設けられた収容部７に上方から表示パネル６を落とし込み、その収容部７内に表示パネル６を収容する。このとき、表示パネル６のＦＰＣ９の電極１０がソケット本体１の上面に設けられたクッション部材２に載せられる。その後、前述のレバー１４を矢印Ｃ方向に回動して、図３に示すように略水平位置に倒す。すると、カム１３の外周面形状により、コンタクト保持部３がピン１２を中心にして揺動し、表示パネル６の収容部７側の端部が下がり、該コンタクト保持部３の全体が略水平状態となる。この状態で、表示パネル６のＦＰＣ９の電極１０の上に、透明部材コンタクト１１の先端部の接触子１６が載る。
【００３１】
次に、図１において、調整機構４の位置調整ネジ２１を正又は逆方向に回転させ、表示パネル保持ブロック１９を矢印D，E方向にスライドさせて、表示パネル６を適宜移動させる。このとき、クッション部材２上に載せられたＦＰＣ９の電極１０と透明部材コンタクト１１の接触子１６とをその上方から見て、図４に示すＦＰＣ９の電極１０と、図５に示す透明部材コンタクト１１の接触子１６とが合致するように位置合わせする。
【００３２】
このようにして、表示パネル６のＦＰＣ９の電極１０と透明部材コンタクト１１の接触子１６とが位置合わせされたら、図２において、押圧プレート５を矢印Ｆ方向に回動して、図３に示すようにソケット本体１の上面を閉じ、側端部の係止部２４にストッパ２５を係止する。このとき、押圧プレート５の内側に設けられた押圧ブロック２３が、クッション部材２上に載せられたＦＰＣ９の電極１０と透明部材コンタクト１１の接触子１６とをその上方から押圧して接触させる。このとき、弾性を有するゴムから成るクッション部材２に対してＦＰＣ９の電極１０と透明部材コンタクト１１の接触子１６とを押さえ付けることで、例えばガラス製の透明部材コンタクト１１を破損せずに、かつ正確に位置合わせして接触させることができる。
【００３３】
その後、透明部材コンタクト１１の他端部に接続された信号入力用のＦＰＣ１７に、図示外の点灯検査装置等の機能検査装置からの信号が送られ、所要の機能検査が実行される。そして、対象の表示パネル６に対する所要の機能検査が終了したら、上述と逆順序の手順により、押圧プレート５及びレバー１４を操作して表示パネル６を取り除き、次なる対象の表示パネル６をセットすればよい。
【００３４】
なお、以上の説明においては、透明部材コンタクト１１は、例えばガラス製のものとしたが、本発明はこれに限られず、アクリルシート又はポリカーボネートシートであってもよい。また、表示パネル６は、ＬＣＤに限られず、ＥＬ又はＬＥＤ等であってもよい。この場合、自発光型の表示パネルにおいては、図２及び図３に示すバックライト２７は不要である。
【図面の簡単な説明】
【００３５】
【図１】本発明による電気部品用ソケットの実施形態を示す平面図である。
【図２】上記電気部品用ソケットを図１のＡ−Ａ線に沿って一部断面して示す側面図であり、押圧プレートを開いた状態の説明図である。
【図３】同じく図１のＡ−Ａ線に沿って一部断面して示す側面図であり、押圧プレートを閉じた状態の説明図である。
【図４】表示パネル及びそのＦＰＣの電極を示す平面図である。
【図５】透明部材コンタクト及びその接触子を示す平面図である。
【符号の説明】
【００３６】
１…ソケット本体
２…クッション部材
３…コンタクト保持部
４…調整機構
５…押圧プレート
６…表示パネル
７…収容部
９…ＦＰＣ
１０…電極
１１…透明部材コンタクト
１３…カム
１４…レバー
１６…接触子
１８ａ，１８ｂ…保持部材
２３…押圧ブロック
【図１】
2006118934.tif 000003
【図２】
2006118934.tif 000004
【図３】
2006118934.tif 000005
【図４】
2006118934.tif 000006
【図５】
2006118934.tif 000007